(57)【要約】【課題】  屋根本体に対する滑り止め効果の高い外装材装着具を提供する。【解決手段】  屋根本体に瓦などの外装材を装着するための外装材装着具、たとえば瓦桟１を、硬質合成樹脂から成る桟本体２０の外表面部２３に、滑動防止手段２１、具体的には突起片２５が設けて構成する。滑動防止手段２１は、軟質合成樹脂から成り、屋根本体に対する高い滑り止め効果を発揮することができる。これによって屋根本体に対する瓦桟１の滑動を確実に防止することができる。【選択図】      図１
2005076360.tif 000002
【特許請求の範囲】
【請求項１】
屋根本体に外装材を装着するための外装材装着具であって、
装着具本体と、
装着具本体の外表面部に、軟質合成樹脂から成る滑動防止手段が設けられることを特徴とする外装材装着具。
【請求項２】
装着具本体は、硬質合成樹脂から成ることを特徴とする請求項１記載の外装材装着具。
【請求項３】
装着具本体は、長手状の部材であり、
滑動防止手段は、長手方向に連続的に延びて形成されることを特徴とする請求項１または２記載の外装材装着具。
【請求項４】
装着具本体は、長手状の部材であり、長手方向に垂直な断面の外形形状が略矩形状であり、
滑動防止手段は、装着具本体の前記矩形の長辺に相当する外表面部に形成されることを特徴とする請求項１〜３のいずれかに記載の外装材装着具。
【発明の詳細な説明】
【技術分野】
【０００１】
本発明は、屋根本体に外装材を装着するために用いられる外装材装着具に関する。
【背景技術】
【０００２】
屋根本体に瓦を装着するための瓦桟として、雨水による劣化を防止するために、硬質の合成樹脂によって形成される瓦桟が用いられている。この瓦桟は、硬質合成樹脂によって形成されるがゆえに、屋根本体に対して滑りやすくなってしまうという問題点があり、これを解消するために、屋根本体の勾配方向と直交する方向に延びる突条を形成している（たとえば特許文献１および２参照）。
【０００３】
【特許文献１】特開２００３−２７６７６号公報
【特許文献２】特開平６−２８０３５７号公報
【発明の開示】
【発明が解決しようとする課題】
【０００４】
このような従来技術では、瓦桟全体が硬質合成樹脂から成り、滑り止めのための突条も硬質合成樹脂から成っている。したがって突条による滑り止め効果は極めて小さく、屋根本体に対する瓦桟の滑りを、確実に防止することができない。
【０００５】
本発明の目的は、屋根本体に対する滑り止め効果の高い外装材装着具を提供することである。
【課題を解決するための手段】
【０００６】
本発明は、屋根本体に外装材を装着するための外装材装着具であって、
装着具本体と、
装着具本体の外表面部に、軟質合成樹脂から成る滑動防止手段が設けられることを特徴とする外装材装着具である。
【０００７】
本発明に従えば、装着具本体の外表面部に、滑動防止手段が設けられる。この滑動防止手段は、軟質合成樹脂から成り、屋根本体に対する高い滑り止め効果を発揮することができる。これによって屋根本体に対する外装材装着具の滑動を確実に防止することができる。
【０００８】
また本発明は、装着具本体は、硬質合成樹脂から成ることを特徴とする。
【０００９】
本発明に従えば、装着具本体は、硬質合成樹脂から成り、外装材を装着するにあたって外装材をしっかりと支持して、好適に装着することができる。このような硬質合成樹脂から成る装着具本体だけでは、屋根本体に対して滑り易くなるが、滑動防止手段によって滑りを防止することができ、好適な外装材装着具を実現することができる。
【００１０】
また本発明は、装着具本体は、長手状の部材であり、
滑動防止手段は、長手方向に連続的に延びて形成されることを特徴とする。
【００１１】
本発明に従えば、滑動防止手段は、装着具本体の長手方向に連続的に延びて形成される。これによって滑動防止手段は、装着具本体の押出成型時に、同時に押出成型によって形成することができる。これによって外装材装着具を容易に形成することができる。
【００１２】
また本発明は、装着具本体は、長手状の部材であり、長手方向に垂直な断面の外形形状が略矩形状であり、
滑動防止手段は、装着具本体の前記矩形の長辺に相当する外表面部に形成されることを特徴とする。
【００１３】
本発明に従えば、滑動防止手段は、装着具本体の長手方向に垂直な断面の矩形の長辺に相当する２つの外表面部にだけ形成される。外装材装着具は、装着具本体の形状に起因して、外装材装着具を屋根本体に載置するにあたって、前記２つの外表面部を屋根本体に対向させた状態が最も安定する。このように安定する状態で屋根本体に対向する外表面部に滑動防止手段が設けられる。これによって外装材装着具を屋根本体に載置したとき、滑動防止手段が屋根本体に当接する状態になりやすい。軟質合成樹脂は、高価であるとともに、できるだけ製造の手間を少なくするために、滑動防止手段の形成箇所を少なくすることが望まれる。単に形成箇所を少なくすると、滑動防止手段による滑り防止効果を得にくくなるが、前述のような２つの外表面部に絞り込んで滑動防止手段を形成することによって、高い確率で滑動防止手段による滑り防止効果を得られるようにして、滑動防止手段の形成箇所を少なくすることができる。
【発明の効果】
【００１４】
以上のように本発明によれば、装着具本体の外表面部に、滑動防止手段が設けられる。この滑動防止手段は、軟質合成樹脂から成り、屋根本体に対する高い滑り止め効果を発揮することができる。これによって屋根本体に対する外装材装着具の滑動を確実に防止することができる。
【００１５】
また本発明よれば、装着具本体は、硬質合成樹脂から成り、外装材を装着するにあたって外装材をしっかりと支持して、好適に装着することができる。このような硬質合成樹脂から成る装着具本体だけでは、屋根本体に対して滑り易くなるが、滑動防止手段によって滑りを防止することができ、好適な外装材装着具を実現することができる。
【００１６】
また本発明によれば、滑動防止手段は、装着具本体の長手方向に連続的に延びて形成される。これによって滑動防止手段は、装着具本体の押出成型時に、同時に押出成型によって形成することができる。これによって外装材装着具を容易に形成することができる。
【００１７】
また本発明よれば、滑動防止手段は、装着具本体の長手方向に垂直な断面の矩形の長辺に相当する２つの外表面部にだけ形成される。外装材装着具は、装着具本体の形状に起因して、外装材装着具を屋根本体に載置するにあたって、前記２つの外表面部を屋根本体に対向させた状態が最も安定する。このように安定する状態で屋根本体に対向する外表面部に滑動防止手段が設けられる。これによって外装材装着具を屋根本体に載置したとき、滑動防止手段が屋根本体に当接する状態になりやすい。軟質合成樹脂は、高価であるとともに、できるだけ製造の手間を少なくするために、滑動防止手段の形成箇所を少なくすることが望まれる。単に形成箇所を少なくすると、滑動防止手段による滑り防止効果を得にくくなるが、前述のような２つの外表面部に絞り込んで滑動防止手段を形成することによって、高い確率で滑動防止手段による滑り防止効果を得られるようにして、滑動防止手段の形成箇所を少なくすることができる。
【発明を実施するための最良の形態】
【００１８】
図１は、本発明の実施の一形態の瓦桟１の一部を示す斜視図である。図２は、瓦桟１を用いて構成される屋根２の一部を示す断面図である。図３は、建物３の一部を簡略化して示す斜視図である。建物３の屋根２は、屋根本体４に外装材である瓦５を装着して構成される。瓦桟１は、屋根本体４に瓦５を装着するための外装材装着具であり、屋根２を構成する要素の１つである。
【００１９】
屋根本体４は、ぬき板などとも呼ばれる野地板７上に、下見板などとも呼ばれるルーフィング８が設けられて構成される。このような屋根本体４は、むね１０から軒１１になるにつれて下方に向かう勾配方向Ａに、勾配を有して形成される。このような屋根本体４に、単に瓦５を載置すると、瓦５が勾配によって屋根本体４からずり落ちてしまうおそれがあるので、ずり落ちを防止して確りと装着するために瓦桟１が用いられる。
【００２０】
瓦桟１は、長手状の構造材であり、複数の瓦桟１が、相互に略平行に並べられ、たとえば釘などの固定具１３によって、屋根本体４に固定される。各瓦桟１は、屋根本体４に沿って、勾配方向Ａに略垂直でかつ略水平な横方向Ｂに延び、勾配方向Ａに並べて設けられる。図３に示すように、むね１０および軒１１が相互に略平行でかつ略水平である場合、横方向Ｂは、むね１０および軒１１に対して略平行となる。
【００２１】
屋根２には、複数の瓦５が、隣接する瓦５同士部分的に重なり合うようにして、勾配方向Ａおよび横方向Ｂに並べて設けられる。各瓦５は、勾配方向Ａ上流側であるむね１０寄りの端部が、たとえば銅線である針金などの線状連結具１４を用いて、瓦桟１に連結されて、屋根本体４に装着される。各瓦５の勾配方向Ａ下流側である軒１１寄りの端部は、軒１１側に隣接する瓦５に部分的に乗り上げるように配置される。
【００２２】
このように瓦５を装着するための瓦桟１は、装着具本体である桟本体２０と、滑動防止手段２１とを有する。桟本体２０は、硬質合成樹脂から成り、たとえばスチロール樹脂から成ってもよく、軽量化のために発砲合成樹脂から成ってもよい。滑動防止手段２１は、軟質合成樹脂から成り、たとえば軟質系エラストマー樹脂から成ってもよい。また滑動防止手段２１は、桟本体２０の外表面部２３に設けられる。このように桟本体２０に滑動防止手段２１が設けられて、全体として長手状でかつ略直方体状の瓦桟１が構成される。
【００２３】
図４は、瓦桟１の一部を示す正面図である。図５は、瓦桟１を示す側面図である。図１を併せて参照して、桟本体２０は、長手状でかつ略直方体状の部材であり、長手方向Ｌに垂直な断面の外形形状が略矩形状であり、長手方向Ｌに垂直な仮想平面に投影した外形形状が略矩形状である。したがって桟本体２０は、長手方向Ｌ両端の外表面部（図１、４および５には一方の表面部だけを図示）２２と、長手方向Ｌに垂直な厚み方向Ｔ両端の外表面部２３と、長手方向Ｌおよび厚み方向Ｔに垂直な幅方向Ｗ両端の外表面部２４とを有する。
【００２４】
桟本体２０の長手方向Ｌ、厚み方向Ｔおよび幅方向Ｗは、瓦桟１全体として見た場合の長手方向、厚み方向および幅方向とそれぞれ一致する。厚み方向Ｔ両端の外表面部２３は、前記矩形の長辺に相当する２つの外表面部であり、幅方向Ｗ両端の外表面部２４は、前記矩形の短辺に相当する２つの外表面部である。
【００２５】
滑動防止手段２１は、複数、本実施の形態では４条の突起片２５を有する。各突起片２５は、装着具本体２０の厚み方向Ｔ両端の外表面部（以下、不特定の一方を「厚み方向表面部」という場合がある）２３に、２条ずつそれぞれ形成される。各厚み方向両面部２３において、２つの突起片２５は、幅方向Ｗ両端部付近で厚み方向Ｔに突出する突条であり、長手方向Ｌに桟本体２０の全長にわたって連続的に延びて形成される。各突起片２５は、長手方向に垂直な断面形状が、たとえば半円形状である。
【００２６】
このような瓦桟１の寸法の一例を示すと、桟本体２０の幅方向Ｗ寸法は、たとえば３０ｍｍ〜４５ｍｍ程度であり、桟本体２０の厚み方向Ｔ寸法は、たとえば１５ｍｍ〜１８ｍｍ程度であり、各突起片２５の幅方向Ｗ寸法は、たとえば１ｍｍ〜３ｍｍ程度であり、各突起片２５の厚み方向Ｔ寸法（突出量）は、たとえば１ｍｍ程度である。このように各突起片２５は、桟本体２０に比べて、１桁小さい寸法であり、桟本体２０に比べて十分に小さい。少なくとも各突起片２５の突出量は、桟本体２０の厚み方向Ｔ寸法の１０分の１以下である。
【００２７】
また瓦桟１には、厚み方向一方側の表面部に、複数の凹溝２８が形成される。この凹溝２８は、幅方向全領域にわたって延びる溝であり、長手方向に間隔をあけて形成される。瓦桟１は、前記厚み方向一方側の表面部を屋根本体４に対向させて用いられる。瓦桟１に各凹溝２８を形成しておくことによって、水抜き効果を達成するとともに、線状連結具１４を通す孔として利用でき、瓦５の瓦桟１への連結作業を容易にする効果を達成する。
【００２８】
瓦桟１は、桟本体２０と各突起片２５とを同時に押出す押出成型によって成型され、押出し後、硬化する前に部分的に変形させて凹溝２８を形成し、製造される。
【００２９】
瓦５を屋根本体４に装着するにあたっては、まず、屋根本体４上に瓦桟１を運び上げ、前述のように並べて屋根本体４に固定する。そして、線状連結具１４を用いて、軒１１側から順に瓦５を瓦桟１に連結して装着する。このような一連の作業において、屋根本体４上に瓦桟１を運び上がるとき、一本ずつ個別に運び上げたのでは作業効率が低いので、複数の瓦桟１を一緒に運び上げて屋根本体４上に載置しておき、その後、１本ずつ位置決めをして固定する。
【００３０】
瓦桟１は、このようにして用いられるが、前述のように桟本体２０の外表面部２３に、軟質合成樹脂から成る滑動防止手段２１が設けられ、屋根本体４に対する高い滑り止め効果を発揮することができる。これによって屋根本体４に対する瓦桟１の滑動を確実に防止することができ、瓦桟１を屋根本体４に載置したとき、屋根本体４が勾配に起因して瓦桟１がずり落ちてしまうことが防がれる。したがって、瓦桟１を一本ずつ位置決めして固定するときの作業性を高くすることができるとともに、前述のように複数の瓦桟１を一度に運び上げて屋根本体４上に放置したとしても、屋根本体４から落下してしまうことがなく、瓦装着のための一連の作業における作業性を高くすることができる。
【００３１】
また桟本体２０は、硬質合成樹脂から成り、瓦５を装着するにあたって瓦５をしっかりと支持して、好適に装着することができる。このような硬質合成樹脂から成る桟本体２０だけでは、屋根本体４に対して滑り易くなるが、滑動防止手段２１によって滑りを防止することができ、好適な瓦桟１を実現することができる。
【００３２】
しかも突起片２１の各突起片２５は、前述のように桟本体２０に対して十分小さい寸法に形成されており、桟本体２０による瓦５の支持に支障を来たすことがない。つまり瓦桟１全体が軟質合成樹脂から成る場合および突起片２５が大きい場合には、瓦桟１全体として見た場合の剛性が小さくなり過ぎて、瓦５を安定して支持することができなくなってしまう。各突起片２５をできるだけ小さくすることによって、このような本末転倒な不具合を防ぐことができる。
【００３３】
また滑動防止手段２１の各突起片２５は、桟本体２０の長手方向Ｌに連続的に延びて形成される。これによって滑動防止手段２１は、桟本体２１の押出成型時に、同時に押出成型によって形成することができる。これによって瓦桟１を容易に製造することができる。
【００３４】
また滑動防止手段２１の各突起片２５は、桟本体２０の２つの厚み方向表面部２３にだけ形成される。瓦桟１は、その形状に起因して、屋根本体４に載置されるとき、前記２つの厚み方向両面部２３を屋根本体４に対向させた状態が最も安定する。このように安定する状態で屋根本体２３に対向する外表面部２３に滑動防止手段２１が設けられる。これによって瓦桟１を屋根本体４に載置したとき、滑動防止手段２１が屋根本体４に当接する状態になりやすい。
【００３５】
軟質合成樹脂は、高価であるとともに、できるだけ製造の手間を少なくし、さらに前述のような瓦５の支持を考慮して全体の剛性を高くするために、滑動防止手段２１の各突起片２５を形成する箇所を少なくすることが望まれる。単に形成箇所を少なくすると、滑動防止手段２１による滑り防止効果を得にくくなるが、前述のような２つの外表面部２３に絞り込んで滑動防止手段２１を形成することによって、高い確率で滑動防止手段２１による滑り防止効果を得られるようにして、滑動防止手段の形成箇所を少なくすることができる。さらに各突起片２５が幅方向Ｗ両端部付近に形成することによって、厚み方向表面部２３を屋根本体４に対向させて載置したときの安定性を高くすることができる。
【００３６】
さらに桟本体２０と突起片２５とを、異なる色、たとえば桟本体２０を黒色とし、突起片２５を白色に形成してもよい。これによって突起片２５の形成される厚み方向両面部２３が一目瞭然であり、作業者が厚み方向表面部２３を容易に把握することができ、利便性を高くすることができる。特に、前述のように複数の瓦桟１を一度に運び上げて屋根本体４上に放置する場合に、厚み方向表面部２３が屋根本体４に対向していない瓦桟１を容易に発見することができ、このような瓦桟１の落下防止のために姿勢を変更する作業の作業性を良好にすることができる。
【００３７】
図６は、瓦５が他の装着構造で装着される屋根２の一部を示す断面図である。瓦桟１自体の構成は、図１〜図５を参照して説明した構成であり、対応する構成に同一の符号を付し、瓦５の装着構造における異なる点についてだけ説明する。図１〜図５を参照して説明した例では、図２に示すように、瓦５は、線状連結具１４を用いて瓦桟１に連結されたけれども、図６に示すように、瓦５のむね１１寄りの端部を鉤状に形成し、瓦桟１に係止するようにしてもよい。瓦桟１は、このように用いられてもよい。
【００３８】
前述の実施の形態は、本発明の例示に過ぎず、本発明の範囲内で構成を変更することができる。たとえば装着具本体および滑動防止手段の形状、寸法および材質は、前述の構成に限定されることはなく、適宜変更することが可能であり、さらに例を挙げて述べると、各突起片は、１つの外表面部に１条、または３条以上形成されてもよいし、また長手方向以外の方向に延びてもよいし、さらに連続的に延びる線状の突起に限定されることはなく、点状の突起片として散在させてもよい。また滑動防止手段は、装着具本体の厚み方向表面部以外に形成されてもよく、たとえば全ての外表面部に形成されてもよい。
【００３９】
さらに外装材装着具は、瓦桟に限定されることはなく、たとえば図６に示すような軒１１に設けられる瓦座３０であってよい。さらに外装材が瓦に限定されることはなく、他の外装材であってもよく、その外装材を屋根本体に装着するための外装材装着具であればよい。
【図面の簡単な説明】
【００４０】
【図１】本発明の実施の一形態の瓦桟１の一部を示す斜視図である。
【図２】瓦桟１を用いて構成される屋根２の一部を示す断面図である。
【図３】建物３の一部を簡略化して示す斜視図である。
【図４】瓦桟１の一部を示す正面図である。
【図５】瓦桟１を示す側面図である。
【図６】瓦５が他の装着構造で装着される屋根２の一部を示す断面図である。
【符号の説明】
【００４１】
１  瓦桟
２  屋根
４  屋根本体
５  瓦
２０  桟本体
２１  滑動防止手段
２５  突起片
【図１】
2005076360.tif 000003
【図２】
2005076360.tif 000004
【図３】
2005076360.tif 000005
【図４】
2005076360.tif 000006
【図５】
2005076360.tif 000007
【図６】
2005076360.tif 000008